(57)【要約】【課題】本考案は、メイン錠と連動することなく収納ボックスが空の状態であるとき扉が開いてしまうことを抑制することが可能な補助錠及びこれを備える収納ボックスを提供する。【解決手段】本考案の補助錠５は、カムロック部５２、スライド部５３、シーソー部５４及び第１付勢手段５６を備え、扉３が閉位置に回転された状態において、スライド部５３が解錠位置にスライドした場合に、シーソー本体５４１の一側部５４１ｂが扉３の内面側に接近するように宅配ボックス１の本体部２に押圧されることで、シーソー本体５４１の他側部５４１ｃが扉３の内面側から離間し、フック５４１ｅよりもカムロック部５２側に位置する保持部５３３が扉３の内面側から離間したフック５４１ｅに引っ掛かることで、カムロック部５２の回転位置によらず、スライド部５３が解錠位置に保持される。【選択図】図４
0003216898.tif 000002
【実用新案登録請求の範囲】
【請求項１】
収納ボックスの扉に設けられる補助錠であって、
施錠位置と解錠位置との間を回転可能に設けられるとともに、その径方向に突出する突起を有するカムロック部と、
施錠位置と解錠位置との間をスライド可能に設けられるものであって、スライド部本体と、前記スライド部本体の一端部に設けられるラッチと、前記スライド部本体の他端部に設けられる立壁と、前記スライド部本体の一端部及び前記スライド部本体の他端部の間に設けられ前記扉の内面側に突出する保持部とを有するスライド部と、
前記スライド部を解錠位置から施錠位置に付勢させる第１付勢手段と、
回転軸線と、前記回転軸線よりも前記扉の一辺側に位置する一側部と、前記回転軸線よりも前記カムロック部側に位置するとともにフックが設けられる他側部とを有するシーソー本体と、前記シーソー本体の前記一側部が前記扉の内面側から離間するとともに前記シーソー本体の前記他側部が扉の内面側に接近するように付勢される第２付勢手段とを有するシーソー部と、
を備え、
前記扉が閉位置に回転された状態において、前記スライド部が解錠位置にスライドした場合に、前記シーソー本体の前記一側部が前記扉の内面側に接近するように前記収納ボックスの本体部に押圧されることで、前記シーソー本体の前記他側部が前記扉の内面側から離間し、前記フックよりも前記カムロック部側に位置する前記保持部が前記扉の内面側から離間した前記フックに引っ掛かることで、前記カムロック部の回転位置によらず、前記スライド部が解錠位置に保持される
ことを特徴とする補助錠。
【請求項２】
前記スライド部が施錠位置にスライドした状態において、前記カムロック部が施錠位置から解錠位置に回転されると、前記突起が前記立壁を、前記第１付勢手段の付勢に抗して押圧することで、前記スライド部を解錠位置にスライドさせる
ことを特徴とする請求項１に記載の補助錠。
【請求項３】
前記カムロック部が施錠位置に回転されるとともに前記スライド部が解錠位置に保持された状態において、前記扉が前記閉位置から開位置に回転されると、前記本体部による前記シーソー本体の前記一側部への押圧が解除されることで、前記シーソー本体の前記他側部が前記第２付勢手段によって前記扉の内面側に接近するように付勢され、前記保持部と前記フックとの引っ掛かりが解除され、前記スライド部が解錠位置から施錠位置にスライドするように前記第１付勢手段によって付勢される
ことを特徴とする請求項１又は２に記載の補助錠。
【請求項４】
前記ラッチは、前記カムロック部が施錠位置に回転されるとともに前記スライド部が施錠位置にスライドした状態において、前記扉が前記開位置から前記閉位置に回転される際に、前記本体部に摺動可能な傾斜面又は湾曲面を有する
ことを特徴とする請求項３に記載の補助錠。
【請求項５】
前記フックは、前記扉の内面側に撓むことが可能なものである
ことを特徴とする請求項１から４までのいずれか１項に記載の補助錠。
【請求項６】
開口を有する本体部と、
前記開口を閉止することが可能に設けられ、請求項１から５までのいずれか１項に記載の補助錠と、前記補助錠と連動しないメイン錠とを有する扉とを備える
ことを特徴とする収納ボックス。
【考案の詳細な説明】
【技術分野】
【０００１】
本考案は、補助錠及びこれを備える収納ボックスに関する。
【背景技術】
【０００２】
従来、宅配ボックスが空の状態であるとき扉が開いてしまうことを抑制するために、第一の錠前と第二の錠前を備え、第一の錠前が解錠状態かつ第二の錠前が施錠状態の第一の状態と、第一の錠前が解錠状態かつ第二の錠前が解錠状態の第二の状態と、第一の錠前が施錠状態かつ第二の錠前が解錠状態の第三の状態とを有し、第一の状態において、第二の錠前は、第一の錠前が解錠状態から施錠状態に移行するのを阻止するように構成される錠前制御システムが開示されている（特許文献１参照）。
【先行技術文献】
【特許文献】
【０００３】
【特許文献１】特開２０１７−１４５５９０号公報
【考案の概要】
【考案が解決しようとする課題】
【０００４】
しかしながら、上記特許文献１に記載の錠前制御システムでは、第一の錠前（メイン錠）と第二の錠前（補助錠）とが連動する必要があり、第一の錠前及び第二の錠前を接近させるように取り付けなければならず、これによって、宅配ボックスからなる収納ボックスの設計の自由度が低下してしまうという課題があった。
【０００５】
そこで、本考案は、以上の課題に鑑みてなされたものであり、メイン錠と連動することなく収納ボックスが空の状態であるとき扉が開いてしまうことを抑制することが可能な補助錠及びこれを備える収納ボックスを提供することを目的とする。
【課題を解決するための手段】
【０００６】
（１）上記課題を解決するために、本考案に係る補助錠は、収納ボックスの扉に設けられるものであって、施錠位置と解錠位置との間を回転可能に設けられるとともに、その径方向に突出する突起を有するカムロック部と、施錠位置と解錠位置との間をスライド可能に設けられるものであって、スライド部本体と、前記スライド部本体の一端部に設けられるラッチと、前記スライド部本体の他端部に設けられる立壁と、前記スライド部本体の一端部及び前記スライド部本体の他端部の間に設けられ前記扉の内面側に突出する保持部とを有するスライド部と、前記スライド部を解錠位置から施錠位置に付勢させる第１付勢手段と、回転軸線と、前記回転軸線よりも前記扉の一辺側に位置する一側部と、前記回転軸線よりも前記カムロック部側に位置するとともにフックが設けられる他側部とを有するシーソー本体と、前記シーソー本体の前記一側部が前記扉の内面側から離間するとともに前記シーソー本体の前記他側部が扉の内面側に接近するように付勢される第２付勢手段とを有するシーソー部と、を備え、前記扉が閉位置に回転された状態において、前記スライド部が解錠位置にスライドした場合に、前記シーソー本体の前記一側部が前記扉の内面側に接近するように前記収納ボックスの本体部に押圧されることで、前記シーソー本体の前記他側部が前記扉の内面側から離間し、前記フックよりも前記カムロック部側に位置する前記保持部が前記扉の内面側から離間した前記フックに引っ掛かることで、前記カムロック部の回転位置によらず、前記スライド部が解錠位置に保持されることを特徴とする。
【０００７】
（２）上記構成（１）において、前記スライド部が施錠位置にスライドした状態において、前記カムロック部が施錠位置から解錠位置に回転されると、前記突起が前記立壁を、前記第１付勢手段の付勢に抗して押圧することで、前記スライド部を解錠位置にスライドさせてもよい。
【０００８】
（３）上記構成（１）又は（２）において、前記カムロック部が施錠位置に回転されるとともに前記スライド部が解錠位置に保持された状態において、前記扉が前記閉位置から開位置に回転されると、前記本体部による前記シーソー本体の前記一側部への押圧が解除されることで、前記シーソー本体の前記他側部が前記第２付勢手段によって前記扉の内面側に接近するように付勢され、前記保持部と前記フックとの引っ掛かりが解除され、前記スライド部が解錠位置から施錠位置にスライドするように前記第１付勢手段によって付勢されてもよい。
【０００９】
（４）上記構成（３）において、前記ラッチは、前記カムロック部が施錠位置に回転されるとともに前記スライド部が施錠位置にスライドした状態において、前記扉が前記開位置から前記閉位置に回転される際に、前記本体部に摺動可能な傾斜面又は湾曲面を有してもよい。
【００１０】
（５）上記構成（１）から（４）までのいずれか１つにおいて、前記フックは、前記扉の内面側に撓むことが可能なものであってもよい。
【００１１】
（６）本考案に係る収納ボックスは、開口を有する本体部と、前記開口を閉止することが可能に設けられ、上記構成（１）から（５）までのいずれか１つに記載の補助錠と、前記補助錠と連動しないメイン錠とを有する扉とを備えることを特徴とする。
【考案の効果】
【００１２】
本考案によれば、メイン錠と連動することなく収納ボックスが空の状態であるとき扉が開いてしまうことを抑制することが可能な補助錠及びこれを備える収納ボックスを提供することができる。
【図面の簡単な説明】
【００１３】
【図１】本実施形態に係る宅配ボックスの要部を示す概略図、（ａ）扉が閉位置に回転された状態であり、（ｂ）扉が開位置に回転された状態である。
【図２】補助錠の内部構造を示す断面上面図（その１）である。
【図３】補助錠の内部構造を示す断面上面図（その２）である。
【図４】補助錠の内部構造を示す断面上面図（その３）である。
【図５】補助錠の内部構造を示す断面上面図（その４）である。
【図６】補助錠の内部構造を示す断面上面図（その５）である。
【図７】シーソー本体を示す斜視図である。
【考案を実施するための形態】
【００１４】
以下、本考案の実施形態について、図面を参照して詳細に説明する。本明細書の実施形態においては、全体を通じて、同一の部材には同一の符号を付している。
【００１５】
（宅配ボックスの構成）
以下、本実施形態に係る宅配ボックス１について、図１を参照して詳細に説明する。
図１は、本実施形態に係る宅配ボックス１の要部を示す概略図、（ａ）扉３が閉位置に回転された状態であり、（ｂ）扉３が開位置に回転された状態である。
【００１６】
図１に示すように、本実施形態に係る宅配ボックス１（収納ボックス）は、宅配物を収納するとともに略矩形状の開口２１を有するボックス状の本体部２と、本体部２とヒンジ接合され開口２１を閉止する閉位置と開口２１を閉止しない開位置との間を回転可能に設けられる扉３とを備えている。
【００１７】
開口２１の一辺側には、略鉛直方向に沿って延在するとともに扉３が閉位置に回転された場合に後述するメイン錠４のカム４３及び補助錠５のスライド部５３におけるラッチ５３２と係止することが可能な縁部２２が設けられている（図２から図６参照）。この縁部２２は、上面視で、本体部２の内側に凹む略コの字型のものであって、その一端部２２１が本体部２に連結するとともに、その他端部２２２が、扉３が閉位置に回転された場合に後述するシーソー本体５４１の一側部５４１ｂを押圧するように設けられている。
【００１８】
扉３は、矩形板状の扉本体３１と、その扉本体３１の一辺側（開口２１の一辺側に対応する）に設けられる折り曲げ部３２とを有している（図２から図６参照）。扉本体３１には、住民であるユーザが施解錠可能なメイン錠４及び宅配業者が施解錠可能な補助錠５が設けられている。メイン錠４と補助錠５とは、連動することなく、それぞれ独立している。折り曲げ部３２は、扉３が閉位置に回転された場合に縁部２２と係合する略コの字型のものである。
【００１９】
本実施形態では、メイン錠４は、ダイヤル式のものであって、複数のダイヤルを備えた施解錠機構４１と、この施解錠機構４１によって回転可能状態又は回転不能状態となるつまみ部４２と、このつまみ部４２に固定された板状のカム４３とを有して構成されている。板状のカム４３は、つまみ部４２の回転に連動して、施錠位置と解錠位置との間を回転可能に設けられている。
【００２０】
メイン錠４が施錠状態にある場合に、ダイヤルによる操作を行い、ダイヤルに表示される数字の組み合わせをあらかじめ設定された組み合わせ（暗証番号）に一致させると、施解錠機構４１によってつまみ部４２が回転可能状態となる。この回転可能状態のつまみ部４２をロック位置からオープン位置へ回転すると、カム４３が施錠位置から解錠位置まで回転する。これにより、カム４３と縁部２２との係止が解除され、メイン錠４は施錠状態から解錠状態となる。
【００２１】
また、メイン錠４が解錠状態にある場合に、つまみ部４２をオープン位置からロック位置へ回転すると、カム４３が解錠位置から施錠位置まで回転する。これにより、カム４３が縁部２２と係止し、メイン錠４は解錠状態から仮施錠状態（空錠状態、すなわち、つまみ部４２をロック位置からオープン位置へ回転することでメイン錠４を解錠状態に戻すことができる状態）となる。
【００２２】
さらに、メイン錠４が仮施錠状態にある場合に、ダイヤルによる操作を行い、ダイヤルに表示される数字の組み合わせをあらかじめ設定された組み合わせ（暗証番号）に一致させないように変更すると、施解錠機構４１によってつまみ部４２が回転不能状態となる。これにより、つまみ部４２の操作によるカム４３の回転が禁止され、メイン錠４は仮施錠状態から施錠状態となる。
【００２３】
なお、本実施形態では、メイン錠４は、ダイヤル式のものから構成されているが、これに限定されるものではなく、例えば、シリンダ式錠から構成されてもよく、この場合、シリンダ式錠の開閉を行う鍵が別途必要となる。
【００２４】
（補助錠の構成）
つぎに、補助錠５について、図１から図７を参照して詳細に説明する。
図２は、補助錠５の内部構造を示す断面上面図（その１）である。図３は、補助錠５の内部構造を示す断面上面図（その２）である。図４は、補助錠５の内部構造を示す断面上面図（その３）である。図５は、補助錠５の内部構造を示す断面上面図（その４）である。図６は、補助錠５の内部構造を示す断面上面図（その５）である。図７は、シーソー本体５４１を示す斜視図である。
【００２５】
図１から図７に示すように、補助錠５は、略鉛直方向と直交する略水平方向に沿って延在するように扉本体３１に設けられるものであって、シリンダ部５１、カムロック部５２、スライド部５３、シーソー部５４、カバー部５５及び第１付勢手段５６を備えている。
【００２６】
シリンダ部５１は、扉本体３１の外面側に固定される外筒５１１と、外筒５１１の内周側に設けられる内筒５１２とを有している。この内筒５１２は、所定の鍵が挿入可能な鍵穴が形成され、所定の鍵が鍵穴に挿入された状態で回転可能に設けられている。
【００２７】
カムロック部５２は、内筒５１２の回転に連動して施錠位置と解錠位置との間を回転可能に扉本体３１の内面側に設けられるものであって、その径方向に突出する突起５２１を有している。また、カムロック部５２は、その回転軸５２２が扉本体３１と直交するように設けられている。さらに、カムロック部５２は、内筒５１２と同一軸線上に設けられることが好ましい。
【００２８】
スライド部５３は、施錠位置と解錠位置との間を略水平方向に沿ってスライド可能に扉本体３１の内面側に設けられるものであって、略水平方向に沿って延在するように設けられるスライド部本体５３１と、スライド部本体５３１の一端部５３１ａに設けられるラッチ５３２と、スライド部本体５３１の一端部５３１ａ及びスライド部本体５３１の他端部５３１ｂの間に設けられる保持部５３３とを有している。
【００２９】
スライド部本体５３１の側面には、カムロック部５２の回転軸５２２が貫通するとともに、略水平方向に沿って延在するガイド溝（図示しない）が形成されているとともに、スライド部本体５３１の上面には、後述するカバー部５５の直進溝５５５と係合するローラ５３１ｄが設けられている（図１参照）。これにより、スライド部５３は、施錠位置と解錠位置との間を略水平方向に沿ってスライド可能に設けられている。
【００３０】
ラッチ５３２は、扉本体３１の内面側に対向するとともに扉本体３１と略平行になる係止面５３２ａと、縁部２２に摺動可能な摺動面５３２ｂとを有している。この摺動面５３２ｂは、傾斜面又は湾曲面からなっている。スライド部５３が施錠位置にスライドした場合に、ラッチ５３２がカバー部５５から突出している。一方、スライド部５３が解錠位置にスライドした場合に、ラッチ５３２がカバー部５５から突出しないようにカバー部５５内に収納されている。
【００３１】
第１付勢手段５６は、スライド部５３を解錠位置から施錠位置に付勢させるためのものであって、スライド部本体５３１の他端部５３１ｂに扉本体３１の内面側に突出するように立設される立壁５３１ｃと、立壁５３１ｃに対向するカバー部５５の背面壁５５４との間に設けられる圧縮コイルばねによって構成されている。
【００３２】
保持部５３３は、後述するフック５４１ｅと引っ掛かるためのものであって、扉本体３１の内面側に突出するように設けられている。保持部５３３と立壁５３１ｃとの間には、カムロック部５２が配置されている。
【００３３】
シーソー部５４は、扉本体３１の内面側に設けられるものであって、略水平方向に沿って延在するように設けられるシーソー本体５４１と、シーソー本体５４１とヒンジ接合される台座５４２と、シーソー本体５４１に取り付けられる第２付勢手段（図示しない）とを有している。また、シーソー部５４は、扉本体３１とスライド部５３との間に挟持されるように設けられている。
【００３４】
シーソー本体５４１は、略鉛直方向に沿って延在する回転軸線５４１ａと、その回転軸線５４１ａよりも扉３の折り曲げ部３２側に位置する一側部５４１ｂと、その回転軸線５４１ａよりもカムロック部５２側に位置する他側部５４１ｃとを有している。
【００３５】
シーソー本体５４１の一側部５４１ｂの先端には、縁部２２によって押圧される段差部５４１ｄが設けられている。さらに、段差部５４１ｄは、少なくとも、その先端が折り曲げ部３２の領域に入り込むようになっている。
【００３６】
一方、シーソー本体５４１の他側部５４１ｃには、扉本体３１の内面側に撓むことが可能なフック５４１ｅが設けられている（図７参照）。このフック５４１ｅが他側部５４１ｃよりもスライド部５３側に突出するように設けられている。
【００３７】
第２付勢手段は、一側部５４１ｂの段差部５４１ｄが扉本体３１から離間するとともに他側部５４１ｃのフック５４１ｅが扉本体３１に接近するようにシーソー本体５４１を付勢するものである。また、本実施形態では、第２付勢手段は、トーションばねによって構成されているが、これに限定されるものではなく、例えば、磁石などによって構成されてもよい。
【００３８】
カバー部５５は、扉本体３１の内面側に取り付けられるものであって、扉本体３１との間の領域にカムロック部５２、スライド部５３及びシーソー部５４を収納している。また、カバー部５５は、上面壁５５１、下面壁５５２、側面壁５５３及び背面壁５５４によって構成されている。
【００３９】
カバー部５５の上面壁５５１には、ローラ５３１ｄと係合する直進溝５５５が形成されている（図１参照）。この直進溝５５５は、スライド部５３のスライド方向に沿って延在している。また、カバー部５５の正面には、ラッチ５３２がカバー部５５に対して進退可能な開口部５５６が形成されている。
【００４０】
（メイン錠及び補助錠の各状態）
図２に示すように、扉３が閉位置に回転された状態において、宅配ボックス１が空の状態であり、メイン錠４が解錠状態にある場合に、カムロック部５２が施錠位置に回転されるとともにスライド部５３が施錠位置にスライドしているので、補助錠５が施錠状態となっている。
【００４１】
この状態では、保持部５３３が、シーソー本体５４１の他側部５４１ｃにおけるフック５４１ｅよりも折り曲げ部３２側に位置している。また、シーソー本体５４１の一側部５４１ｂにおける段差部５４１ｄが扉本体３１の内面側に接近するように本体部２の縁部２２における他端部２２２に押圧されることで、フック５４１ｅが扉本体３１の内面側から離間する状態となる。そして、フック５４１ｅと保持部５３３の先端が、扉本体３１と直交する方向に沿って重なっている。
【００４２】
そして、宅配業者が、所定の鍵にて内筒５１２を施錠位置から解錠位置に回転させると、カムロック部５２が内筒５１２の回転に連動して施錠位置から解錠位置に回転していき、カムロック部５２の突起５２１がスライド部５３の立壁５３１ｃを第１付勢手段５６の付勢に抗して押圧することで、スライド部５３を施錠位置から解錠位置にスライドさせる。
【００４３】
この際に、保持部５３３が、フック５４１ｅよりも折り曲げ部３２側からフック５４１ｅを乗り越えてフック５４１ｅよりもカムロック部５２側に移動する。また、保持部５３３がフック５４１ｅを乗り越えているとき、フック５４１ｅが、保持部５３３に押圧されることで、扉本体３１の内面側に撓む。さらに、保持部５３３がフック５４１ｅを乗り越えたとき、撓んだフック５４１ｅが、その復元力によって元の状態に戻る。
【００４４】
図３に示すように、カムロック部５２が解錠位置に回転されることで、スライド部５３が解錠位置にスライドした場合に、フック５４１ｅよりもカムロック部５２側に位置する保持部５３３が元の状態に戻ったフック５４１ｅに引っ掛かることで、カムロック部５２の回転位置によらず、スライド部５３が解錠位置に保持されることになっている。すなわち、メイン錠４及び補助錠５が共に解錠状態となる。
【００４５】
つぎに、メイン錠４及び補助錠５が共に解錠状態にある場合に、宅配業者が、扉３を閉位置から開位置に回転させてから、宅配物を宅配ボックス１に入れることができる。
【００４６】
つぎに、宅配業者が、宅配物を宅配ボックス１に入れた状態で、扉３を開位置から閉位置に回転させてから、ダイヤルによる操作を行いメイン錠４を施錠状態とするとともに、カムロック部５２を解錠位置から施錠位置に回転させても、フック５４１ｅよりもカムロック部５２側に位置する保持部５３３が元の状態に戻ったフック５４１ｅに引っ掛かることで、スライド部５３が解錠位置に保持されることになっている（図４参照）。すなわち、メイン錠４が施錠状態となるとともに、補助錠５が解錠状態となる。これにより、ユーザが、補助錠５の施解錠を行うことなく、メイン錠４のダイヤルによる操作を行うのみで、宅配物を取り出すことができる。
【００４７】
つぎに、ユーザがメイン錠４を施錠状態から解錠状態にすることで、扉３を閉位置から開位置に回転させることができる。扉３が閉位置から開位置に回転されると、縁部２２の他端部２２２による段差部５４１ｄへの押圧が解除されることで、シーソー本体５４１の他側部５４１ｃが第２付勢手段によって扉本体３１の内面側に接近するように付勢され、保持部５３３とフック５４１ｅとの引っ掛かりが解除され、スライド部５３が解錠位置から施錠位置にスライドするように第１付勢手段５６によって付勢される（図５参照）。
【００４８】
つぎに、ユーザが、宅配物を宅配ボックス１から取り出してから、扉３を開位置から閉位置に回転させると、スライド部５３は、ラッチ５３２の摺動面５３２ｂが縁部２２の他端部２２２に摺動するように、施錠位置から解錠位置に向かってスライドする。ただし、摺動面５３２ｂの先端が縁部２２の他端部２２２に当接する際に、保持部５３３がフック５４１ｅよりも折り曲げ部３２側に位置しているので、保持部５３３がフック５４１ｅに引っ掛かることがない（図６参照）。そして、扉３が閉位置に回転されると、スライド部５３は、第１付勢手段５６の付勢によって、施錠位置にスライドし、ラッチ５３２の係止面５３２ａと縁部２２とが係止することになる。すなわち、補助錠５が施錠状態となる。
【００４９】
（実施形態の効果）
このように構成される本実施形態の補助錠５によれば、宅配ボックス１の扉３に設けられるものであって、施錠位置と解錠位置との間を回転可能に設けられるとともに、その径方向に突出する突起５２１を有するカムロック部５２と、施錠位置と解錠位置との間をスライド可能に設けられるものであって、スライド部本体５３１と、スライド部本体５３１の一端部５３１ａに設けられるラッチ５３２と、スライド部本体５３１の他端部５３１ｂに設けられる立壁５３１ｃと、スライド部本体５３１の一端部５３１ａ及びスライド部本体５３１の他端部５３１ｂの間に設けられ扉３の内面側に突出する保持部５３３とを有するスライド部５３と、スライド部５３を解錠位置から施錠位置に付勢させる第１付勢手段５６と、回転軸線５４１ａと、回転軸線５４１ａよりも扉３の一辺側に位置する一側部５４１ｂと、回転軸線５４１ａよりもカムロック部５２側に位置するとともにフック５４１ｅが設けられる他側部５４１ｃとを有するシーソー本体５４１と、シーソー本体５４１の一側部５４１ｂが扉３の内面側から離間するとともにシーソー本体５４１の他側部５４１ｃが扉３の内面側に接近するように付勢される第２付勢手段とを有するシーソー部５４と、を備え、扉３が閉位置に回転された状態において、スライド部５３が解錠位置にスライドした場合に、シーソー本体５４１の一側部５４１ｂが扉３の内面側に接近するように宅配ボックス１の本体部２に押圧されることで、シーソー本体５４１の他側部５４１ｃが扉３の内面側から離間し、フック５４１ｅよりもカムロック部５２側に位置する保持部５３３が扉３の内面側から離間したフック５４１ｅに引っ掛かることで、カムロック部５２の回転位置によらず、スライド部５３が解錠位置に保持される。これにより、メイン錠４と連動することなく、宅配ボックス１が空の状態であるとき扉３が開いてしまうことを抑制することが可能な補助錠５を提供することができる。
【００５０】
このように、メイン錠４と補助錠５とは、連動していないため、メイン錠４と補助錠５とを離間させて宅配ボックス１に取り付けてもよく、メイン錠４及び補助錠５を備える宅配ボックス１の設計自由度を向上させることができる。
【００５１】
以上、本考案を、実施形態を用いて説明したが、本考案の技術的範囲は上記の実施形態に記載の考案の範囲には限定されないことは言うまでもなく、上記実施形態に、多様な変更又は改良を加えることが可能であることが当業者に明らかである。また、そのような変更又は改良を加えた形態も本考案の技術的範囲に含まれ得ることが、実用新案登録請求の範囲の記載から明らかである。
【符号の説明】
【００５２】
１              宅配ボックス（収納ボックス）
２            本体部
２１        開口
２２        縁部
２２１    一端部（縁部）
２２２    他端部（縁部）
３            扉
３１        扉本体
３２        折り曲げ部
４            メイン錠
４１        施解錠機構
４２        つまみ部
４３        カム
５            補助錠
５１        シリンダ部
５１１    外筒
５１２    内筒
５２        カムロック部
５２１    突起
５２２    回転軸（カムロック部）
５３        スライド部
５３１    スライド部本体
５３１ａ  一端部（スライド部本体）
５３１ｂ  他端部（スライド部本体）
５３１ｃ  立壁
５３１ｄ  ローラ
５３２    ラッチ
５３２ａ  係止面
５３２ｂ  摺動面
５３３    保持部
５４        シーソー部
５４１    シーソー本体
５４１ａ  回転軸線
５４１ｂ  一側部
５４１ｃ  他側部
５４１ｄ  段差部
５４１ｅ  フック
５４２    台座
５５        カバー部
５５１    上面壁
５５２    下面壁
５５３    側面壁
５５４    背面壁
５５５    直進溝
５５６    開口部
５６        第１付勢手段
【図１】
0003216898.tif 000003
【図２】
0003216898.tif 000004
【図３】
0003216898.tif 000005
【図４】
0003216898.tif 000006
【図５】
0003216898.tif 000007
【図６】
0003216898.tif 000008
【図７】
0003216898.tif 000009